(57)【要約】      （修正有）【課題】予めドリルで開けた穴の中でインプラントをより中心に配置することを可能にする歯科インプラントを提供する。【解決手段】円筒形状及び真っ直ぐな母面を有する上端部４を有し、該上端部から、好ましくは六角形状を有する角柱部又は突起部３が外側へ突き出しており、該上端部には、内部に隠れたネジ穴６が軸方向に開けられており、外側のネジ幹部３は、面取りされた円錐部８によって、その先端部で終わり、ネジ山も、もう一方の円錐形状端９によって同様に終わり、それらの間に、切刃及び調達されたネジ山部を有する縦長の溝穴１９を設えた歯科インプラント。【選択図】          図１
2005006882.tif 000002
【特許請求の範囲】
【請求項１】
通常は、円筒形状及び真っ直ぐな母面（ｇｅｎｅｒａｔｒｉｘ）を有する上端部（ｕｐｐｅｒ  ｅｎｄ）（４）を有し、該上端部から、好ましくは六角形状を有する角柱部（ｐｒｉｓｍａｔｉｃ  ｐｏｒｔｉｏｎ）又は突起部（ｐｒｏｊｅｃｔｉｏｎ）（３）が外側へ突き出しており、該上端部には、内部に隠れたネジ穴（６）が軸方向に開けられており、外側のネジ幹部（ｓｃｒｅｗ−ｔｈｒｅａｄｅｄ  ｓｔｅｍ）（３）は、面取りされた円錐部（ｔｒｕｎｃｏ−ｃｏｎｉｃａｌ  ｐｏｒｔｉｏｎ）（８）によって、その先端部（ａｐｉｃａｌ  ｅｎｄ）で終わり、ネジ山（ｓｃｒｅｗ−ｔｈｒｅａｄｅｄ）も、もう一方の円錐形状端（ｃｏｎｅ  ｓｈａｐｅｄ  ｅｎｄ）（９）によって同様に（ｉｎ  ｔｕｒｎ）終わり、それらの間に、切刃（ｃｕｔｔｉｎｇ  ｅｄｇｅｓ）及び調達された（ｐｒｏｃｕｒｉｎｇ）ネジ山部（ｓｃｒｅｗ−ｔｈｒｅａｄｅｄ  ｓｅｃｔｏｒｓ）を有する縦長の溝穴（ｌｏｎｇｉｔｕｄｉｎａｌ  ｓｌｏｔｓ）（１９）を設えた歯科インプラントであって；
・六角形の突起部（３）の高さは、０．６５ミリメートル及び１．５ミリメートルの間であり、
・軸方向の内側のネジ穴（６）は、真っ直ぐな上部円筒部（４）の最下端（ｌｏｗｅｓｔ  ｅｎｄ）（１０）を超えないその外側からの長さを有し、この長さは、３ミリメートル及び５ミリメートルの間であり、
・真っ直ぐな上部円筒部の高さは、０．７ミリメートル及び５ミリメートルの間であり、
・前記円筒部（４）から始まるネジ山円筒幹部（ｓｃｒｅｗ−ｔｈｒｅａｄｅｄ  ｃｙｌｉｎｄｒｉｃａｌ  ｓｔｅｍ）（１８）の直径は、２．５ミリメートル及び６ミリメートルの間であり、
・幹部（３）のネジ山の面取りされた円錐部（ｓｃｒｅｗ−ｔｈｒｅａｄｅｄ  ｔｒｕｎｃｏ−ｃｏｎｉｃａｌ  ｐｏｒｔｉｏｎ）（８）が終わる円錐端部（９）は、約１２０°の角度を有し、通常は、円形状の面取りされた平らな表面によって愁嘆し、その直径は、幹部のネジ山部の直径の１５％及び２５％の間であり、
縦長の溝穴（１９）は、その切刃の根底に、外側へ湾曲した丸められた窪み（ｏｕｔｗａｒｄｌｙ  ｃｕｒｖｅｄ  ｃｏｎｃａｖｅ  ｒｏｕｎｄｅｄ）である、幾つかの部分を有し、該窪みから、隣接部（ａｄｊｏｉｎｉｎｇ  ｓｅｃｔｏｒ）の切刃に向かって延びる、他の外側へ湾曲した丸められた窪みが存在している
ことを特徴とする歯科インプラント。
【請求項２】
前記インプラントが３ミリメートルを超える直径を有するときは、内部の隠れた穴は、真っ直ぐな円筒部の最下面まで延びることができることを特徴とする、請求項１に記載の歯科インプラント。
【発明の詳細な説明】
【０００１】
本発明は、患者の顎の上顎骨中に挿入するために、口腔外科医によって用いられ、義歯又は入れ歯を組み立てる堅固な土台として機能するタイプの歯科インプラントに関する。
【０００２】
これらのインプラントに関する一般的技術は、スウェーデンの教授である、Ｂｒａｎｅｍａｒｋ博士によって２０年以上も前に提案され、それらの効果を高めるために、それらの特性を改善するか改善を試みることを目的とした、これに関する非常に多くのバリエーションが知られている。
【０００３】
一般用語では、歯科インプラントは、その上部領域（ｕｐｐｅｒ  ａｒｅａ）又は前頭骨（ｃｏｒｏｎａｌ）に届くまで、歯科インプラントを骨に適切に固定することによって、患者の顎骨に収容されるユニットである。この領域で、インプラントは、義歯の安定した固定を可能にする手段を提供する。骨に穴を開けるために、先ず、ドリルで歯を削り（ｍｉｌｌｅｄ）、インプラントがその中に適切に固定されうるネジ用内部空洞（ｓｃｒｅｗ−ｔｈｒｅａｄｅｄ  ｉｎｔｅｒｎａｌ  ｃａｖｉｔｙ）を得るために、後で別の道具（例えば、雌ネジ切り（ｔａｐ））によってネジ山が作られる、少なくとも、平坦な表面を有する中空の円筒状内部空洞（ｈｏｌｌｏｗ  ｃｙｌｉｎｄｒｉｃａｌ  ｉｎｔｅｒｎａｌ  ｃａｖｉｔｙ）を得る。
【０００４】
骨の中に平らな側面を有する穴を開ける、この後者のネジ切り操作（ｓｃｒｅｗ  ｔｈｒｅａｄｉｎｇ  ｏｐｅｒａｔｉｏｎ）は、通常、インプラント自身によって行われ、セルフタッピン（ｓｅｌｆ−ｔａｐｐｉｎｇ）と呼ばれ、すでに長年の間知られており、雌ネジ切りのすでに述べたシステムに関するそれらの技術を基礎としている。
【０００５】
米国特許出願公開第２，３８８，４８２号公報によれば、患者の骨に穴を開ける外科用器具が知られており、そしてそれは、その特徴的な先端部によって同様に（ｉｎ  ｔｕｒｎ）終わる４つの縦長の窪み（ｒｅｃｅｓｓｅｓ）を備えた部分で終わる、ネジ山領域を備えている。
【０００６】
さらに、米国特許出願公開第２，４７２，１０３号公報によって、ネジ切りを行う器具の存在も知られており、そしてその器具は、その中で螺旋形のネジ山それ自身が伸び続ける、他方の円錐端部によって終わる、螺旋形のネジ山を備えた円筒部を有し、この円錐領域は、器具の挿入を助ける縦長の溝穴（ｌｏｎｇｉｔｕｄｉｎａｌ  ｓｌｏｔ）又は溝（ｇｒｏｏｖｅｓ）を備えている。
【０００７】
また、米国特許出願公開第２，６０９，６０４号公報によって、その外周（ｏｕｔｅｒ  ｐｅｒｉｐｈｅｒｙ）に沿って放射状に延びる多数の縦長の溝穴を有する螺旋形のネジ山を備えた円錐状のインプラントも知られている。
【０００８】
米国特許出願公開第３，４３５，５２６号公報により、骨への固定の間使用され得る、例えば、六角形の横断面を有する、多角形の頭部（ｐｏｌｙｇｏｎａｌ  ｈｅａｄ）を有し、別の平らな円筒部に続いているインプラントが知られており、この平らな円筒部は、ネジ山が切られ、それを通す穴を有する、より小さい直径を有する別の円筒部に取って代わられる。このインプラントの端部は、面取りされた円錐状であり、縦長の溝穴はこの端部からぐるぐる回っている。
【０００９】
米国特許出願公開第３，６７２，０５８号公報によって、その本体（ｂｏｄｙ）が円筒状であり、大きなピッチの螺旋状のネジ山で覆われているインプラントが知られており、そしてその本体は、縦長の溝穴を備えている。このインプラントは、セルフタッピン式であり、その内端部（ｉｎｔｅｒｎａｌ  ｅｎｄ）又は先端部は、その挿入を容易にするために、約１０°の角度を有する円錐状である。
【００１０】
この雌ネジ切り歯又はネジ山は、その円錐状の先端頭部から始まり、本体の基部（ｂａｓｅ）が全体に円錐状ならば、頭部の半径及び基部の半径の両者は、段々大きくなる（ｐｒｏｇｒｅｓｓｉｖｅ  ｉｎｃｒｅａｓｅ）。
【００１１】
フランス国特許出願公開第２，３９５，７３８号公報により、いずれも真っ直ぐな縦長であり、傾いているか又は斜めになっている、螺旋状の歯及び溝穴を備える、円錐状のインプラントも知られている。
【００１２】
また、米国特許出願公開第４，３２４，５５０号公報には、また、雌ネジ切り歯又はネジ山を備える、円錐状のインプラントが記載されており、そのインプラントには、縦長の溝穴が有り、インプラントの骨へのねじ込みを容易にする切刃を同様に有している。
【００１３】
また、１９５７年著作権法に基づいてスペイン国で発行された、Ｅｄｉｔｏｒｉａｌ  Ｒｅｖｅｒｔｅ，  Ｓ．Ａ．による、ドイツ語出版物「Ｒｕｎ  ｕｍ  ｄｉｅ  ｗｅｒｋｚｅｕｇｍａｓｃｈｉｎｅ」によって、面取りされた円錐部によってその末端で終わる円筒状の本体を有する雌ネジ切り類が知られており、それらは、螺旋状の歯又はネジ山、及び切刃を備えた縦長の溝穴の両者を備えている。
【００１４】
米国特許出願公開第４，４０６，６２３号公報は、円錐状であり、その本体全体に沿って先端部まで延びる螺旋状の歯を備えるインプラントを提示しており、そしてそれは、約９０°の円錐で終わり得る。螺旋方向の一組の溝穴は、歯を中断し、セルフタッピン式のインプラントの挿入を容易にする切刃を提供する。
【００１５】
これら上述のインプラントの幾つかは、それらの頭部に、後で義歯を組み込む、ネジ山が切られている軸方向に開けられた、隠れた穴を有している。この穴は、多角形端部から始まり、隣接する平らな円筒部の高さを通り抜け、穴が、インプラントのネジ山領域の相当な長さを超えるまで延びており、そのため、このネジ山領域の直径は、適切な強度を維持するために考慮されなければならない（ｏｂｌｉｇｅ）。
【００１６】
ネジ山が設けられる部分の直径ために、患者の狭い骨の隆線（ｒｉｄｇｅｓ）中でインプラントの位置を正確に決めることが非常に難しくなるので、このことは、多くの場合に相当の不便又は不利となる。
【００１７】
一方、インプラントが皮質骨に達する場合、インプラントを患者の骨により良く固定する歯科学技術は極めて周知であり、それ故、髄質骨（ｍｅｄｕｌａｒ  ｂｏｎｅ）部分よりもかなり硬い上記皮質骨中へ、インプラントをねじ込むことが好まれる傾向がある。
【００１８】
さらに、顎の後方の歯神経の問題があり、そしてそれは、それが引き起こす非常に深刻な不都合を回避するために、インプラントで打撃を与え（ｉｍｐｉｎｇｅ  ｕｐｏｎ）ないことが重要である。
【００１９】
この点で、インプラントを挿入する操作は、通常、上述したように、雌ネジ切りとして機能するが、セルフタッピン式インプラントの挿入の前に、平らな側面を有する円筒状の窪みを設けるため、骨のミリング（ｍｉｌｌｉｎｇ）から始まる。
【００２０】
穴開け（ｄｒｉｌｌｉｎｇ）操作では、専門医は、歯神経から可能な最小の距離に達するまで、ドリルで穴を開ける。これらの操作では、高い回転数でドリル（ｍｉｌｌｅｒ）が中に入り（ｈｏｕｓｅｄ）、一旦、穴が出来上がると、非常にゆっくりとした回転スピード（ｒａｄｉａｌ  ｓｐｅｅｄ）で回転する、セルフタッピン式インプラントによる処置が始まる。
【００２１】
この慣習（ｈａｂｉｔｕａｌ  ｐｒａｃｔｉｃｅ）は、処置を逆にする、すなわち、歯神経からより離れた距離までドリルで穴を開ける（ｍｉｌｌｉｎｇ  ｔｈｅ  ｈｏｌｅ）ことによってリスクがより少なくなるとしても（ｇｉｖｅｎ  ｔｈａｔ→このパラグラフの意味はよく分かりませんでした）、より高い回転スピードでは、コントロールが難しく、処置が不正確になるので、勧められない。
【００２２】
従って、低い回転スピードでのセルフタッピン式インプラントによる最後の操作は、歯神経に近づくまで、その侵入が完全にコントロールでき、患者にとってリスクがより少ない。
【００２３】
一方、これらの全てのインプラントは、予めドリルで開けた穴（ｍｉｌｌｅｄ  ｈｏｌｅ）の内部にネジ切り（ｓｃｒｅｗ  ｔｈｒｅａｄｉｎｇ）を行う際に、骨の殻（ｓｈｅｌｌ）又は被膜（ｆｉｌｍ）を幾らか切るが、刃によってそれを切ることは、後での、インプラントを結合する骨塊（ｂｏｎｅ  ｍａｓｓ）の形成に決して好ましくないという一般的特性を有している。
【００２４】
本発明の目的は、極めて狭い隆線であるときに、インプラントの上縁（ｕｐｐｅｒ  ｅｄｇｅ）の挿入を容易にするために、セルフタッピン部（ｓｅｌｆ−ｔａｐｐｉｎｇ  ｐｏｒｔｉｏｎ）の直径を、患者の穴の中で小さくすることができる歯科インプラントを提供することである。
【００２５】
本発明の他の目的は、双皮質化（ｂｉｃｏｒｔｉｃａｌｉｚｅｄ）を可能にし、それによって、皮質骨へのより良好な固定を達成する歯科インプラントである。
【００２６】
本発明の他の目的は、患者の骨中でのネジの挿入及びネジ山の形成の両者を容易にし、穴開け作業（ｗｏｒｋｉｎｇ  ｔｈｅ  ｐｅｒｆｏｒａｔｉｏｎ）の仕方を逆転させることによって、少ないリスクで歯神経の近傍に近づくことを可能にする歯科インプラントである。
【００２７】
本発明の他の目的は、ネジ山切りの間に生じる摩擦を軽減するが、同時に、インプラントのより良好な組み込みのために骨の粉砕（ｃｒｕｓｈｉｎｇ）及び研削（ｇｒｉｎｄｉｎｇ）を促進する歯科インプラントである。
【００２８】
本発明の他の目的は、予めドリルで開けた穴の中でインプラントをより中心に配置することを可能にする歯科インプラントである。
【００２９】
これらの目的を実現するために、本発明のインプラントは、すでに技術的に知られている（ｋｎｏｗｎ  ｂｙ  ｔｈｅ  ｓｃｉｅｎｃｅ）、下記の項目のものを備えるユニットで始める：
・例えば、円筒形の頭部の横断面の直径より小さい、理論上の外径に含まれる、その外面が六角形の突起部に占められている、通常は円筒形の頭部。
・後で義歯を支持するネジを受け入れるために、該外面の端部から始まる軸方向の隠れた穴。
・螺旋状の歯又はネジ山を備え、歯又はネジ山がその側面全体に沿って延びている、面取りされた円錐端部で終わる円筒形の幹部。
・インプラントのフリーの先端部（ｆｒｅｅ  ａｐｉｃａｌ  ｅｎｄ）から延びており、少なくとも１つの切刃を備える、可変数の、幾つかの縦長の溝穴又は溝。
【００３０】
これらの事項に基づいて、本発明によるインプラントは、六角形の突起部がそこから始まる、頭部の真っ直ぐな円筒部が、従来のものより実質的に大きな寸法の母面を有することにより、インプラントを軸方向に貫く手前の隠れたネジ穴（ｂｌｉｎｄ  ｆｒｏｎｔ  ｓｃｒｅｗ−ｔｈｒｅａｄｅｄ  ｈｏｌｅ）が、該円筒部の端面（ｅｎｄ  ｐｌａｎｅ）を超えないことを特徴とする。
【００３１】
従って、円筒部から始まるネジ幹部は、その断面の全体であり（ｗｈｏｌｅ  ｉｎ  ｉｔｓ  ｃｒｏｓｓ  ｓｅｃｔｉｏｎ）、その直径はより小さくなりうる。この幹部の直径の減少は、実際には、インプラントが、その強度の如何なるロス又は劣化（ｄｅｔｒｉｍｅｎｔ）も伴わずに、狭い隆線への適用がより容易になることを意味している。
【００３２】
行った検討及び実験から、円筒部の真っ直ぐな母面の高さ又は寸法が０．７ミリメートル及び５ミリメートルの間、隠れたネジ穴の全高さが３ミリメートル及び５ミリメートルの間、及び幹部の直径が２．５ミリメートル及び６ミリメートルの間であることが適当である場合は、歯科インプラントによって、良好な実際的結果が達成されることが観察された。
【００３３】
これらの値の間で機能させ、それらを適当に組み合わせることにより、インプラントは、その正しい方向及び配列バリエーションの如何なるタイプにも悩むことなく（ｗｉｔｈｏｕｔ  ｓｕｆｆｅｒｉｎｇ）、且つ、上述のように正確にその強度を低下させることなく、患者の骨の如何なるタイプの隆線にも向くように完全に製造されている。
【００３４】
従って、その頸部（ｎｅｃｋ）は、竜頭（ｗｉｎｄｅｒ）であり、その段々細くなる（ｔａｐｅｒ）領域におけるインプラントの頸部を弱めることなく人工骨頭を保持するネジのハウジングが壊れるのを防止できる。それ故、従来のものより直径が小さいインプラントの使用も容易になる。
【００３５】
同様に、六角形の突起部は、０．６５ミリメートル及び１ミリメートルの間のサイズを有することを特徴とする。
【００３６】
同様に、本発明によるインプラントはまた、概略（ｇｅｎｅｒａｌ）円錐形状を有する先端部を要求し（ｃｌａｉｍｓ）、それによれば、この端部の角度は１２０°である。この構成（ｆｏｒｍａｔｉｏｎ）は、鋭い縦長の溝穴を備えるインプラントの面取りされた円錐幹部のネジ山端部で終わり、顎の後部領域の歯に取り組む場合に、高い回転数で行われる、骨への穴開けミリング（ｍｉｌｌｉｎｇ）を、歯神経から安全な距離で中断させる。
【００３７】
特に、この先端の円錐領域のフリー端部は、平坦に切られて（ｆｌａｔｔｅｎｅｄ  ｏｆｆ）いることにより、それが侵入するときに、鋭い縁（ｅｄｇｅ）にしない（ｏｆｆｅｒ）。この先端面取り部（ｂｅｖｅｌｌｅｄ  ｓｅｃｔｉｏｎ）の直径は、インプラントの断面の直径の１５％及び２５％の間であり、本発明のインプラントによって要求される特徴の１つである。
【００３８】
本発明のインプラントのねじ込み操作では、ねじ込み操作の間の回転スピードが低く、従って、専門医による安全なコントロールに完全に従うならば、先端部の先端面取りされた先細り部（ｔａｐｅｒ）は、大きなリスクを伴わずに歯神経に近づくことを可能にする。
【００３９】
一方、先端部の円錐領域は、骨の皮質領域への到達を助け、それによって、インプラントを、より硬い、この領域においてインプラント自身を確立させ、それが不動であることの保証を高める。
【００４０】
同様に、インプラントの先端部は鋭利なので、より弱い骨の皮質に向かってより少ない量で移動する。
【００４１】
２つの皮質に関しては周知のように、２つの上顎骨のいずれかにおける切削（ｃｕｔ）において、舌又は口蓋は、一般に、前庭よりも広く（ｗｉｄｅｒ）、より象牙様であり、最初に予測されるように中心にならない。
【００４２】
この理由から、インプラントは生きた先端（ｌｉｖｅ  ｔｉｐ）によって自動的に中心に戻るので、前もって確立された土台（ｂｅｄ）中により深く進むことができる。必要ならば、インプラントの先端部は、ミリングツールと類似の形状を有しているので、インプラントの長さを無駄にすることも、骨の中に空の穴を残すこともなく、ミリングツールによって作製された空間に正確に入るであろう。
【００４３】
ネジ山及び、通常は、４個又は５個の、切刃を有する縦長の溝穴をも備えるセルフタッピン式インプラントの面取りされた円錐領域は、特定の横断面を有し、それによって、インプラントがねじ込まれるための、前もってドリルで開けられた穴の中へインプラントが挿入される間、これ（挿入）は、より少ない摩擦で行われるが、インプラントが一旦挿入された後の、インプラント自身の組み込みのための、骨のより良好な粉砕及び研削をも助ける。
【００４４】
これら全て（ａｌｌ  ｔｈｉｓ）は、ネジ山の外側の切刃に設けられた突出部の間に配置された縦長の溝穴を有する基部（ｂａｓｅｓ）の特定の幾何学形状（ｓｐｅｃｉｆｉｃ  ｇｅｏｍｅｔｒｙ）によって実現される。従って、各切刃は、インプラントの中心からより離れた位置に配置された切断端（ｃｕｔｔｉｎｇ  ｅｎｄ）から始まり、半径方向に従う特定の（ｃｅｒｔａｉｎ）長さで、外側に湾曲した凹部のねじれ（ｏｕｔｗａｒｄｌｙ  ｃｕｒｖｅｄ  ｃｏｎｃａｖｅ  ｔｗｉｓｔ）になるポイントまで延びており、そしてそれは、隣接したネジ山の突出部である切断端に達する、別の外側に湾曲した凸部と連続して結合している（ｃｏｎｎｅｃｔｅｄ  ｉｎ  ｃｏｎｔｉｎｕｉｔｙ  ｗｉｔｈ）。
【００４５】
本発明のこれらの又は他の全て詳細は、如何なる種類の限定的な特徴（ｎａｔｕｒｅ）も伴わない、下記の事柄が示されている、添付図面を参照することによってさらに詳細かつ正確に（ｐｒｅｃｉｓｉｏｎ）理解されるであろう：
【００４６】
図１を見ると、インプラント（１）が、ネジ山部（２）、頭部又は頸部（４）及び該頸部の上端部（５）から突き出ている六角形の突起部（３）を備えていることが理解できる。
【００４７】
ネジ山部（２）は、その下端部又は先端部を除き、その全長に沿って歯又はネジ山（１８’）を備えており、その内部に、縦長の溝（１９）が、縦長に切り抜かれて設けられている（ｃｕｔ−ｏｕｔｓ，  ａｌｓｏ  ｌｏｎｇｉｔｕｄｉｎａｌ）ことも理解できる。
【００４８】
同様に、インプラントの下端部は、部分（９）が１２０°の角度を有している、面取りされた円錐状傾斜部（ｔａｐｅｒ）（８，９）によって形作られている。
【００４９】
この部分（９）は、面取り部又は斜端部（９Ａ）によって同様に終わっており、その直径が、インプラントの幹部又は脚部（ｐｉｎ）のネジ山部の直径のおよそ１５％及び２５％の間である円形の断面を有している。
【００５０】
頸部又は頭部（４）は、本発明によれば、その母面での寸法又はサイズ（Ａ）が、０．７ミリメートル及び５ミリメートルの間である。
【００５１】
頭部（４）の母面の高さ及び突起部の高さの合計である寸法（Ｂ）、別の言葉で言えば、ネジ山の穿孔部（ｐｅｒｆｏｒａｔｉｏｎ）（６）の全深さは、本発明によれば、１．４ミリメートル及び６．５ミリメートルの間である。
【００５２】
同様に、インプラントの幹部又は脚部（１８）のネジ山部（１８’）の寸法は、点線（７）で示される、従来の直径よりも実質的に小さい、２．５ミリメートル及び６ミリメートルの間になるであろう。
【００５３】
図２は、直径の大きな幹部によって貫通されるのを通常困難にする、骨（１２）の通常の（ｈａｂｉｔｕａｌ）幅の狭い隆線（１１）を示しているが、本発明によって記載される幹部によっては完全に貫通されうる。
【００５４】
図３に関しては、事前のミリング（１５）又は、その上端部（１３）から行われる、歯（１２）中のインプラントの土台の好ましい特徴を示しており、それによって、インプラントのより良好な固定を確保するために、インプラントは、皮質骨（１４）に有利に到達しなければならない。
【００５５】
図４及び５によれば、この領域を貫通している歯神経（１６）を有する、顎の後部領域に対応する骨（１２’）を観察することができる。この神経は、必ず回避されなければならないので、その距離が該神経が影響を受けないであろう必要な防衛手段（ｓａｆｅｇｕａｒｄ）を提供する、歯神経からどの位の距離（１７）で、骨（１２’）の事前のミリング（１５）が中断されうるかが理解されるであろう。
【００５６】
Ｘ線操作（Ｘ−ｒａｙ  ｃｏｎｔｒｏｌ）後、必要ならば、神経の経路に可能な限り近くまで、例えば、１５又は２０の低い回転数でインプラントの挿入を続けることが可能である。
【００５７】
図６及び７は、上顎骨の舌又は口蓋（１４Ａ）及び前庭（ｖｅｓｔｉｂｕｌａｒ）皮質が示されている、２つの動作（ａｃｔｉｏｎｓ）を示している。骨の穿孔の実施時の非常に硬い皮質（１４Ａ）のために、時にはこの前庭皮質を破壊するポイントに達するにしても、各（ｄｉｆｆｅｒｅｎｔ）ミリング操作（１５Ａ、１５Ｂ、１５Ｃ）は、前庭皮質（１４Ｂ）の方へずれている。
【００５８】
図６に示される、理想的な貫通（ｐｅｎｅｔｒａｔｉｏｎ）は、どのようにして中心に正しく貫通が行われたかを示しており、先端部を有する本発明のインプラントは、それ自身がより弱い皮質の方へずれる傾向が最小であり、該インプラントの設置に関して高い信頼性を提供する。
【００５９】
図８及び９を参照すると、伝統的なインプラント（図９の２’）の挙動を観察することができ、そしてそれは、その通常の鈍い（ｂｌｕｎｔ）又は平坦な端部（９Ｂ）を有しており、うまく利用されない骨中の空間（１５Ｄ）（９Ｃ，１５Ｄ）を残す。
【００６０】
本発明による、図８では、この空間（９Ｃ，１５Ｄ）は、インプラントがミリングヘッドと類似の形状を有することによって、該骨の形状に完全に適合する先端部を有する、インプラントの端部によって完全に占められる。
【００６１】
図１１では、その幹部（２）上のインプラントの先端部に関する現実的解決案を推論することができ、その端部に切られた縦長の溝穴又は溝（２１）を理解することができる。この端部は、如何なる鋭い縁をも避ける面取りされた又は円味を帯びた面（９Ａ）が、その頂点に設けられている、約１２０°の円錐形（２３）で終わっている。
【００６２】
該面取りされた面（９Ａ）は、インプラントの幹部（２）の平均断面に対応する寸法の１５％及び２５％の間の寸法を有する。
【００６３】
図１０は、縦長の窪み（ｒｅｃｅｓｓｅｓ）によって決定される溝穴又は溝（２１）を有するインプラントの先端部の特定の幾何学形状（ｇｅｏｍｅｔｒｙ）を示しており、切断面（ｃｕｔｔｉｎｇ  ｓｕｒｆａｃｅ）及び切断端部（２５，２６）を理解することができる。これらの溝穴（２１）の幾何学形状は、該溝穴の基部（ｂａｓｅ）を形成する、外側に湾曲した凹部（２８）によって、次いでそれ以外の外側に湾曲する凸部によって決定される。
【００６４】
この図１０によって提案される解決策（ｓｏｌｕｔｉｏｎ）は、６つの溝穴を有するこの解決策において実施される、溝穴（２９）及び湾曲した凹部（３１）及び湾曲した凸部（３０）を示す、図１３に示すものと技術的に対応する、４つの溝穴に基づく端部を示す。
【００６５】
図１４は、後者の側面図を示し、図１１に示すものと技術的に対応している。
【００６６】
これら図１０、１１、１３及び１４全てにおいて、本発明による、インプラントの先端部で終わる末端の面取り部又は斜端部（９Ａ）を理解することができる。
【００６７】
図１２に関しては、図１の穿孔部（６）に対応する部位（２４）と共に、円筒部（４）の上基部（ｕｐｐｅｒ  ｂａｓｅ）（５）から立ち上がる、インプラントの六角形の突出部（３）を示す。
【００６８】
最後に、図１５では、縦長の溝穴（３３）、円錐端部（３４，３５）及び面取り部（９Ａ）を有する、その先端部でのインプラントの別の実際的解決策を観察することができる。この場合、インプラントは、それが移植された後に骨によって埋められる、穿孔部又は穴（３２）を備えている。
【００６９】
さらに、適当な目的で、そして、米国特許出願公開第４，８２６，４３４号公報によって知られ、示唆されているように、他の分野で知られている技術を用いて、表面エッチング（ｓｕｒｆａｃｅ  ｅｔｃｈｉｎｇ）によってインプラントを処理できることを指摘しておく。
【００７０】
濃縮された酸による処理によって、インプラントの表面はかなり増加するので、この目的のために、通常、濃縮された酸が用いられる。
【図面の簡単な説明】
【図１】図１は、本発明のインプラントの立面図である。
【図２】図２は、患者の骨の幅の狭い隆線（ｎａｒｒｏｗ  ｒｉｄｇｅ）を示す。
【図３】図３は、皮質領域を示す、骨の断面図である。
【図４】図４は、歯神経を示す、顎の後部領域の断面図である。
【図５】図５は、歯神経の近接領域における、本発明による穿孔（ｐｅｒｆｏｒａｔｉｏｎ）又は穴の断面図である。
【図６】図６は、口蓋又は舌及び前庭の皮質に対して、それぞれ正常及びはずれた挙動を示す図である。
【図７】図７は、口蓋又は舌及び前庭の皮質に対して、それぞれ正常及びはずれた図６とは、異なる挙動を示す図である。
【図８】図８は、骨に施された事前のミリングにおける、本発明のインプラントの挙動を示す。
【図９】図９は従来のインプラントの動作方法（ｗａｙ  ｏｆ  ｏｐｅｒａｔｉｎｇ）を示す。
【図１０】図１０は、本発明のインプラントの先端領域からの下面図を示す。
【図１１】図１１は、本発明のインプラントの先端部の変化形である。
【図１２】図１２は、図１に示すインプラントの平面図である。
【図１３】図１３は、その先端部からの本発明の変化形である。
【図１４】図１４は、図１３に対応する、本発明の変化形のインプラントの先端部の立面図である。
【図１５】図１５は、本発明のインプラントの先端部の別の変化形である。
【図１】
2005006882.tif 000003
【図２】
2005006882.tif 000004
【図３】
2005006882.tif 000005
【図４】
2005006882.tif 000006
【図５】
2005006882.tif 000007
【図６】
2005006882.tif 000008
【図７】
2005006882.tif 000009
【図８】
2005006882.tif 000010
【図９】
2005006882.tif 000011
【図１０】
2005006882.tif 000012
【図１１】
2005006882.tif 000013
【図１２】
2005006882.tif 000014
【図１３】
2005006882.tif 000015
【図１４】
2005006882.tif 000016
【図１５】
2005006882.tif 000017
【外国語明細書】
2005006882.tif 000018
2005006882.tif 000019
2005006882.tif 000020
2005006882.tif 000021
2005006882.tif 000022
2005006882.tif 000023
2005006882.tif 000024
2005006882.tif 000025
2005006882.tif 000026
2005006882.tif 000027
2005006882.tif 000028
2005006882.tif 000029
2005006882.tif 000030
2005006882.tif 000031
2005006882.tif 000032
2005006882.tif 000033
2005006882.tif 000034
2005006882.tif 000035
2005006882.tif 000036
2005006882.tif 000037
2005006882.tif 000038
2005006882.tif 000039